(57)【特許請求の範囲】
【請求項１】
欄干と、
前記欄干の周囲に設けられた手摺りレールと、
前記手摺りレールを走行する手摺りベルトと、
前記欄干を照明する照明装置と、
を有し、
前記照明装置は、
前記手摺りレールに沿ってネジ止めされたカバー支持部と、
前記カバー支持部に取り付けられ、長尺状で、かつ、柔軟性のある透過性のカバーと、
前記カバーと前記カバー支持部で形成された空間内に収納されたテープ状のＬＥＤ基板と、
前記ＬＥＤ基板に所定間隔を開けて設けられたＬＥＤと、
を有し、
乗降口における前記欄干の端部は、半円型に形成され、
前記手摺りレールは、半円型の前記欄干の端部に沿って設けられ、
半円型の前記手摺りレールに沿って前記照明装置が取り付けられ、
前記乗降口における前記欄干の下部には、正面スカートガードが設けられ、
前記正面スカートガードにはインレット部が突出し、
前記手摺りレールに前記照明装置が貫通して前記インレット部内に侵入している、
乗客コンベア。
【請求項２】
前記インレット部内の前記照明装置に関して、前記ＬＥＤ基板が前記カバー支持部と前記カバー内の前記空間からさらに突出している、
請求項１に記載の乗客コンベア。
【請求項３】
欄干と、
前記欄干の周囲に設けられた手摺りレールと、
前記手摺りレールを走行する手摺りベルトと、
前記欄干を照明する照明装置と、
を有し、
前記照明装置は、
前記手摺りレールに沿ってネジ止めされたカバー支持部と、
前記カバー支持部に取り付けられ、長尺状で、かつ、柔軟性のある透過性のカバーと、
前記カバーと前記カバー支持部で形成された空間内に収納されたテープ状のＬＥＤ基板と、
前記ＬＥＤ基板に所定間隔を開けて設けられたＬＥＤと、
を有し、
前記ＬＥＤ基板と前記ＬＥＤは、シリコンで一体成形され、
前記ＬＥＤ基板の長手方向に屈曲可能である、
乗客コンベア。
【請求項４】
前記ＬＥＤ基板の端部からケーブルが延びている、
請求項１又は３に記載の乗客コンベア。
【請求項５】
前記ＬＥＤ基板は、前記空間内で前記ＬＥＤ基板の長手方向に摺動自在に収納されている、
請求項１又は３に記載の乗客コンベア。
【請求項６】
前記手摺りレールは、前記欄干の欄干パネルの上端部が嵌め込まれる嵌合部と、
前記嵌合部の下端から左右方向にそれぞれ延びた下面板と、
前記下面板の両左右端部から上方に延びた左右一対の外面板と、
左右一対の前記外面板の上端部から外側にやや傾斜しつつ延設された左右一対のガイド部と、
を有し、
前記手摺りベルトの左右両端が折れ曲がり、その折れ曲がった部分の内周部が左右一対の前記ガイド部に覆い被さり、
前記カバー支持部が前記下面板にネジ止めされている、
請求項１又は３に記載の乗客コンベア。
【発明の詳細な説明】
【技術分野】
【０００１】
本発明の実施形態は、乗客コンベアに関するものである。
【背景技術】
【０００２】
近年、乗客コンベアの欄干には、欄干の端部にある半円型の部分に合わせてフレキシブルに屈曲可能なＬＥＤ装置を有した照明装置が用いられている。
【先行技術文献】
【特許文献】
【０００３】
【特許文献１】ＣＮ２０１８７３４２８
【特許文献２】ＣＮ１０６０８１８４７
【発明の概要】
【発明が解決しようとする課題】
【０００４】
上記のような照明装置においては、手摺りレールに取り付ける部品が多くなってコストが上がり、また取り付け作業にも時間がかかるという問題点があった。
【０００５】
そこで本発明の実施形態は上記問題点に鑑み、ＬＥＤを手摺りレールに簡単に取り付けることができる乗客コンベアを提供することを目的とする。
【課題を解決するための手段】
【０００６】
本発明の実施形態は、欄干と、前記欄干の周囲に設けられた手摺りレールと、前記手摺りレールを走行する手摺りベルトと、前記欄干を照明する照明装置と、を有し、前記照明装置は、前記手摺りレールに沿ってネジ止めされたカバー支持部と、前記カバー支持部に取り付けられ、長尺状で、かつ、柔軟性のある透過性のカバーと、前記カバーと前記カバー支持部で形成された空間内に収納されたテープ状のＬＥＤ基板と、前記ＬＥＤ基板に所定間隔を開けて設けられたＬＥＤと、を有し、前記照明装置は、前記手摺りレールに沿ってネジ止めされたカバー支持部と、前記カバー支持部に取り付けられ、長尺状で、かつ、柔軟性のある透過性のカバーと、前記カバーと前記カバー支持部で形成された空間内に収納されたテープ状のＬＥＤ基板と、前記ＬＥＤ基板に所定間隔を開けて設けられたＬＥＤと、を有し、乗降口における前記欄干の端部は、半円型に形成され、前記手摺りレールは、半円型の前記欄干の端部に沿って設けられ、半円型の前記手摺りレールに沿って前記照明装置が取り付けられ、前記乗降口における前記欄干の下部には、正面スカートガードが設けられ、前記正面スカートガードにはインレット部が突出し、前記手摺りレールに前記照明装置が貫通して前記インレット部内に侵入している、乗客コンベアである。本発明の他の実施形態は、欄干と、前記欄干の周囲に設けられた手摺りレールと、前記手摺りレールを走行する手摺りベルトと、前記欄干を照明する照明装置と、を有し、前記照明装置は、前記手摺りレールに沿ってネジ止めされたカバー支持部と、前記カバー支持部に取り付けられ、長尺状で、かつ、柔軟性のある透過性のカバーと、前記カバーと前記カバー支持部で形成された空間内に収納されたテープ状のＬＥＤ基板と、前記ＬＥＤ基板に所定間隔を開けて設けられたＬＥＤと、を有し、前記ＬＥＤ基板と前記ＬＥＤは、シリコンで一体成形され、前記ＬＥＤ基板の長手方向に屈曲可能である、乗客コンベアである。
【図面の簡単な説明】
【０００７】
【図１】本発明の実施形態を示すエスカレータの側面説明図。
【図２】欄干の上部の拡大縦断面図。
【図３】照明部を手摺りレールの下面板に取り付けた状態の側面から見た縦断面図。
【図４】インレット部における正面図。
【図５】図４におけるＡ−Ａ線断面図。
【発明を実施するための形態】
【０００８】
以下、本発明の一実施形態のエスカレータ１０について図１〜図５を参照して説明する。
【０００９】
（１）エスカレータ１０
エスカレータ１０の構造について、図１を参照して説明する。図１はエスカレータ１０を側面から見た説明図である。
【００１０】
図１に示すように、エスカレータ１０の枠組みであるトラス１２が、建屋１の上階と下階に跨がって支持アングル２，３を用いて支持されている。
【００１１】
図１に示すように、トラス１２の上端部にある上階側の機械室１４内部には、踏段３０を走行させる駆動装置１８、左右一対の駆動スプロケット２４，２４、左右一対のベルトスプロケット２７，２７が設けられている。駆動装置１８は、誘導電動機（インダクションモータ）よりなるモータ２０と、減速機と、この減速機の出力軸に取り付けられた出力スプロケットと、この出力スプロケットにより駆動する駆動チェーン２２と、モータ２０の回転を停止させ、かつ、停止状態を保持するディスクブレーキとを有している。この駆動チェーン２２により駆動スプロケット２４が回転する。左右一対の駆動スプロケット２４，２４と左右一対のベルトスプロケット２７，２７とは、不図示の連結ベルトにより連結されて同期して回転する。また、上階側の機械室１４内部には、モータ２０やディスクブレーキなどを制御する制御部５０が設けられている。
【００１２】
図１に示すように、トラス１２の下端部にある下階側の機械室１６内部には、従動スプロケット２６が設けられている。上階側の駆動スプロケット２４と下階側の従動スプロケット２６との間には、左右一対の無端の踏段チェーン２８，２８が掛け渡されている。すなわち、左右一対の踏段チェーン２８，２８には、複数の踏段３０の車輪３０１が等間隔で取り付けられている。踏段３０の車輪３０１はトラス１２に固定された不図示の案内レールに沿って走行すると共に、駆動スプロケット２４の外周部にある凹部と従動スプロケット２６の外周部にある凹部に係合して上下に反転する。また、車輪３０２はトラス１２に固定された案内レール２５を走行する。
【００１３】
図１に示すように、トラス１２の左右両側には、左右一対のスカートガード４４，４４と左右一対の欄干３６，３６が立設されている。欄干３６の上部に手摺りレール７４が設けられ、この手摺りレール７４に沿って手摺りベルト３８が移動する。手摺りレール７４の下部、すなわち内周面には照明装置７０が設けられている。この照明装置７０については後から詳しく説明する。欄干３６の上階側の正面下部には上階側の正面スカートガード４０が設けられ、下階側の正面下部には下階側の正面スカートガード４２が設けられ、正面スカートガード４０，４２から手摺りベルト３８の出入口であるインレット部４６，４８がそれぞれ突出している。スカートガード４４は、欄干３６の側面下部に設けられ、左右一対のスカートガード４４，４４の間を踏段３０が走行する。上下階のスカートガード４４の内側面には、操作盤５２，５６、スピーカ５４，５８がそれぞれ設けられている。
【００１４】
図１に示すように、手摺りベルト３８は、上階側のインレット部４６から正面スカートガード４０内に侵入し、案内ローラ群６４を介してベルトスプロケット２７に掛け渡され、その後、案内ローラ群６６を介してスカートガード４４内を移動し、下階側のインレット部４８から正面スカートガード４２外に表れる。そして、手摺りベルト３８は、ベルトスプロケット２７が駆動スプロケット２４と共に回転することにより踏段３０と同期して移動する。また、回転するベルトスプロケット２７に走行する手摺りベルト３８を押圧するための押圧部材６８を有する。
【００１５】
図１に示すように、上階側の機械室１４の天井面にある乗降口には、上階側の乗降板３２が水平に設けられ、下階側の機械室１６の天井面にある乗降口には、下階側の乗降板３４が水平に設けられている。乗降板３２の先端には櫛歯状のコム６０が設けられ、このコム６０から踏段３０が進出、又は、侵入する。また、乗降板３４にも櫛歯状のコム６２が設けられている。
【００１６】
（２）照明装置７０
照明装置７０について図１〜図３を参照して説明する。
【００１７】
まず、照明装置７０を取り付ける欄干３６の上部の構造について図２を参照して説明する。欄干３６の欄干パネルを構成するのは、透明なガラス板７２である。ガラス板７２の上端部に金属製の手摺りレール７４が設けられている。手摺りレール７４は、図２に示すように、ガラス板７２の上端部が嵌め込まれる嵌合部７６と、この嵌合部７６の下端から左右方向にそれぞれ延びた左右一対の下面板７８と、左右一対の下面板７８の左右両端部から上方に延びた左右一対の外面板８０と、左右一対の外面板８０の上端部から左右両側にやや傾斜しつつそれぞれ延設された左右一対のガイド部８２を有している。
【００１８】
ウレタンゴム製の手摺りベルト３８は、図２に示すように、縦断面Ｃ字型に左右両端が折れ曲がり、その折れ曲がった部分の内周部が左右一対のガイド部８２，８２に覆い被さっている。これにより手摺りベルト３８は、左右一対のガイド部８２，８２に沿って走行する。
【００１９】
図２に示すように、踏段３０とは反対側の手摺りレール７４の下面板７８の下部に、照明装置７０が設けられている。図１に示すように、照明装置７０は、上階の半円型の部分７０ａと下階の半円型の部分７０ｂと、上階と下階の間の直線の部分７０ｃとよりなる。直線の部分７０ｃは、欄干３６の直線の部分に固定される。上階の半円型の部分７０ａと下階の半円型の部分７０ｂは、欄干３６の上階の端部の半円型の部分３６ａと下階の端部の半円型の部分３６ｂに沿って固定される。
【００２０】
照明装置７０は、ＬＥＤ基板８６と、所定の長さを有するカバー８４とカバー支持部９２を有している。
【００２１】
テープ状のＬＥＤ基板８６は、図３、図５に示すように、長手方向に所定の長さを有し、かつ、長手方向に柔軟性がある。ＬＥＤ基板の下面には、所定間隔毎にＬＥＤ８８が複数設けられている。ＬＥＤ基板８６とＬＥＤ８８とは、シリコン８９で一体成形され柔軟性があり、長手方向に屈曲可能である。ＬＥＤ基板８６は、柔軟性のある導体（例えば、銅箔）よりなり、ＬＥＤ基板８６の一端部からは、各ＬＥＤ８８に電源を供給するためのケーブル１００が延びている（図５参照）。柔軟性のあるテープ状のＬＥＤ基板８６としては、例えばテープＬＥＤを用い、ＬＥＤ８８としては、チップＬＥＤ（表面実装型ＬＥＤ）を用い、シリコン８９で覆っている。
【００２２】
カバー支持部９２は、その前後方向（長手方向）が手摺りレール７４と同じ長さを有した金属板であって、図２に示すように、その左右両端部が下方に折曲され、さらに下端部が内方に突出し、左右一対のフランジ部９４，９４が形成されている。このカバー支持部９２は、手摺りレール７４の下面板７８に取り付けられる。その取り付け方法は、下面板７８に所定間隔毎にネジ孔９７が形成され、カバー支持部９２にも所定間隔毎にネジ孔９８が形成されている。嵌合部７６と外面板８０との間の空間にナット９１が配され、カバー支持部９２のネジ孔９８から上方に向かってネジ９３が螺合され、カバー支持部９２を下面板７８にネジ止めされている。
【００２３】
カバー８４は、図２に示すように、カバー支持部９２の下方に着脱自在に取り付けられる。このカバー８４は、透過性のある合成樹脂製であって、縦断面形状は、上方が開口し、下面は半円型である。そして、上端部には外方に向かって左右一対の爪９０，９０が突出し、カバー支持部９２の左右一対のフランジ部９４，９４と係合する。このカバー支持部９２とカバー８４の内部には空間９６が形成される。図２に示すように、ＬＥＤ基板８６は、この空間９６内部であって、カバー８４の上面に載置されるように配され、かつ、カバー８４とカバー支持部９２とは固定されておらず、長手方向に沿って移動自在となっている。また、カバー８４は、左右一対の爪９０，９０でフランジ部９４，９４に係合するだけであるため、簡単に取り付けられる。
【００２４】
（３）インレット部４６における照明装置７０の構造
次に、照明装置７０をインレット部４６に侵入させる構造について説明する。上記のようにして欄干３６の上階の端部の半円型の部分３６ａに沿って取り付けられた照明装置７０は、上階のインレット部４６に至る。この位置においては、手摺りレール７４と手摺りベルト３８とは上下逆転した状態となっている。
【００２５】
インレット部４６は、上階の正面スカートガード４０から突出した台形状であって、その正面部分には、手摺りベルト３８の外径に沿った楕円形状のインレット開口部１０２が形成されている。このインレット開口部１０２の内周部分には、手摺りベルトよりも大きく、インレット開口部１０２よりも小さい縦断面Ｃ字型のインレット移動体１０４が配されている。このインレット移動体１０４は、手摺りレール７４に沿って摺動自在であり、インレット移動体１０４の先端部はインレット開口部１０２から突出している。インレット部４６、すなわち正面スカートガード４０内部であって、インレット移動体１０４の基部付近には、リミットスイッチよりなるインレットスイッチ１０６が固定されている。インレット移動体１０４の先端に乗客などの鞄が当たった場合にインレット移動体１０４がインレット部４６内部に侵入し、インレットスイッチ１０６を押圧する。制御部５０は、インレットスイッチ１０６が押圧されると、乗客の安全のためにエスカレータ１０を停止させる。
【００２６】
インレット開口部１０２の上端中央部には、手摺りレール７４が貫通するレール開口部１０８が縦方向に連続して開口している。また、レール開口部１０８と連続して照明装置７０が貫通する照明開口部１１０も開口している。
【００２７】
ガラス板７２と手摺りレール７４と手摺りレール７４と手摺りベルト３８が、レール開口部１０８とインレット開口部１０２を貫通し、手摺りベルト３８が正面スカートガード４０内部に移動する。一方、手摺りレール７４に固定されている照明装置７０も、照明開口部１１０を貫通して、正面スカートガード４０内部に侵入している。
【００２８】
下階の正面スカートガード４２におけるインレット部４８もインレット部４６と同様の構造を有し、照明装置７０が正面スカートガード４２内部に侵入している。
【００２９】
上階の正面スカートガード４０において、照明装置７０の空間９６に配されているＬＥＤ基板８６から延びている電源供給用のケーブル１００は、正面スカートガード４０内部から機械室１４にある制御部５０に配線されている。
【００３０】
ＬＥＤ基板８６は所定の長さを有し、下階から上階までのカバー支持部９２とカバー８４の長さよりも長く形成されている。そのため、照明装置７０の空間９６に挿通され、上階から下階まで挿通した場合に、若干の長さがＬＥＤ基板８６に余っているため、その長さは下階の正面スカートガード４２内部にあるＬＥＤ基板８６の長さで調整するか、又は、上階の正面スカートガード４０内部にあるＬＥＤ基板８６の長さで調整する。このときに、ＬＥＤ基板８６は、空間９５内部で摺動自在なため、保守員がＬＥＤ基板８６を引っ張って摺動させるだけで、下階の正面スカートガード４２内部にあるＬＥＤ基板８６の長さと、上階の正面スカートガード４０内部にあるＬＥＤ基板８６の長さを簡単に調整できる。
【００３１】
（４）効果
本実施形態によれば、手摺りレール７４に照明装置７０を取り付ける場合には、カバー支持部９２を手摺りレール７４の下面板７８にネジ９３でネジ止めし、次に、ＬＥＤ基板８６を配した後、カバー８４を取り付ける。この場合にカバー８４には、左右一対の爪９０，９０が設けられているため、カバー支持部９２の左右一対のフランジ部９４，９４に係合するだけでカバー８４を取り付けることができる。逆に取り外す場合には、まず、カバー８４を取り外し、ＬＥＤ基板８６を外した後、カバー支持部９２を手摺りレール７４の下面板７８から取り外すだけでよい。
【００３２】
また、照明装置７０は、手摺りレール７４の下面板７８に取り付ける構造であるため、その取り付ける作業の位置に保守員の手が届きやすく、作業を改善できる。
【００３３】
また、ＬＥＤ基板８６の配線は、ＬＥＤ基板８６の端部から突出したケーブル１００を電源の供給に接続するだけであるため、配線作業を簡単にできる。
【００３４】
また、下階の正面スカートガード４２から上階の正面スカートガード４０までの手摺りレール７４にＬＥＤ基板８６を設けるため、ＬＥＤ基板８６の位置がずれても、ＬＥＤ８８の位置を調整する必要がない。
【００３５】
また、エスカレータ１０の長さに応じてＬＥＤ基板８６の長さを決め、余ったＬＥＤ基板８６は、正面スカートガード４０又は正面スカートガード４２内に隠すことができるため、設置を行い易い。
【００３６】
また、手摺りレール７４の下部がＬＥＤ８８によって照明され、さらに欄干３６の半円型の部分３６ａ，３６ｂの部分に沿ってもＬＥＤ８８が発光するため、エスカレータ１０の意匠性を高めることができる。
【００３７】
また、手摺りレール７４は、照明装置７０を取り付けたままでインレット部４６，４８内部に侵入させ固定できる。
【００３８】
また、既設のエスカレータ１０においても、その手摺りレール７４に照明装置７０を簡単に取り付けることができる。
【変更例】
【００３９】
上記実施形態では、カバー８４の縦断面形状において下部が半円型であったが、これに代えて多角形、又は他の形状であってもよい。
【００４０】
また、上記実施形態では、エスカレータ１０に適用して説明したが、これに代えて動く歩道に適用してもよい。
【００４１】
上記では本発明の一実施形態を説明したが、この実施形態は、例として提示したものであり、発明の範囲を限定することは意図していない。これら新規な実施形態は、その他の様々な形態で実施されることが可能であり、発明の主旨を逸脱しない範囲で、種々の省略、置き換え、変更を行うことができる。これら実施形態やその変形は、発明の範囲や要旨に含まれると共に、特許請求の範囲に記載された発明とその均等の範囲に含まれる。
【符号の説明】
【００４２】
１０・・・エスカレータ、３６・・・欄干、３８・・・手摺りベルト、７０・・・照明装置、７２・・・ガラス板、７４・・・手摺りレール、７８・・・下面板、８４・・・カバー、８６・・・ＬＥＤ基板、８８・・・ＬＥＤ、９２・・・カバー支持部、９６・・・空間、１００・・・ケーブル、１０２・・・インレット開口部、１０４・・・インレット移動体、１０８・・・レール開口部、１１０・・・照明開口部
【要約】
【課題】ＬＥＤを手摺りレールに簡単に取り付けることができる乗客コンベアを提供する。
【解決手段】照明装置７０は、手摺りレール７４に沿ってネジ止めされたカバー支持部９２と、カバー支持部９２に取り付けられ、長尺状で、かつ、柔軟性のある透過性のカバー８４と、カバー８４とカバー支持部９２で形成された空間９６内に収納されたテープ状のＬＥＤ基板８６と、ＬＥＤ基板８６に所定間隔を開けて設けられたＬＥＤ８８とを有する。
【選択図】      図２【図１】
0006786671.tif 000002
【図２】
0006786671.tif 000003
【図３】
0006786671.tif 000004
【図４】
0006786671.tif 000005
【図５】
0006786671.tif 000006